(57)【要約】【課題】  ＣＤ管にストレスが加わっても、内部のケーブルにまでストレスが加わるのを回避できる情報分電盤用箱体を提供する。【解決手段】  機器を組み付ける機器取付板５が配置されて壁面に固定される本体１と、本体１の前面を覆う蓋体２とを有し、本体１の機器取付板５の周囲には、ケーブルを入線するための開口部１２が設けられ、当該開口部１２には入線するまでのケーブルを保護しているＣＤ管４の端部を保持するＣＤ管保持具３が備えられている。ＣＤ管保持具３は、第１の径のＣＤ管４ａを保持する第１保持部３２ａと、第１の径より小さい第２の径のＣＤ管４ｂを保持する第２保持部３２ｂとを有し、第２保持部３２ｂは第１保持部３２ａの内側に形成されている。【選択図】  図７
2017220531.tif 000002
【特許請求の範囲】
【請求項１】
機器を組み付ける機器取付板が配置されて壁面に固定される本体と、前記本体の前面を覆う蓋体とを有する情報分電盤用箱体であって、
前記本体の前記機器取付板の周囲には、ケーブルを入線するための開口部が設けられ、当該開口部には入線するまでのケーブルを保護しているＣＤ管を保持するＣＤ管保持手段が備えられて成ることを特徴とする情報分電盤用箱体。
【請求項２】
前記ＣＤ管保持手段は、第１の径のＣＤ管を保持する第１保持部と、前記第１の径より小さい第２の径のＣＤ管を保持する第２保持部とを有し、
前記第２保持部は前記第１保持部の内側に形成されてなり、
前記第１の径のＣＤ管を保持する際は、前記第２保持部を取り除いて前記第１保持部に保持させることを特徴とする請求項１記載の情報分電盤用箱体。
【請求項３】
前記本体は板状に形成される一方、前記蓋体は前面板と当該前面板の背部を囲む側面板とを有して箱状に形成されて成り、
前記側面板の左右側部には、前記本体に係止／係止解除動作する可動爪が配置されると共に、前記可動爪を操作する取っ手が前記可動爪の前方となる前記前面板の端部に配置されて成ることを特徴とする請求項１又は２記載の情報分電盤用箱体。
【発明の詳細な説明】
【技術分野】
【０００１】
本発明は、住宅の壁面等に設置されて各種情報機器を収納する情報分電盤に使用する箱体に関する。
【背景技術】
【０００２】
従来より、モデムや光回線の終端装置（ＯＮＵ）、更にはテレビ信号のブースタ等を一括して収納する情報分電盤がある。例えば特許文献１に開示されたものは、情報機器を収納する本体と、この本体の開放された前面を覆う蓋体とで構成され、本体上部からケーブル等を導入して内部機器に接続している。また蓋体は本体に蝶着され、上下方向の回動操作で蓋体を開閉可能としている。
【先行技術文献】
【特許文献】
【０００３】
【特許文献１】特開２０１０−１０４０７３号公報
【発明の概要】
【発明が解決しようとする課題】
【０００４】
情報分電盤に入線される通信ケーブルやＬＡＮケーブル等のケーブルは、壁の中に埋設されたＣＤ管（Combined Duct）に挿通して配設されているが、ＣＤ管は樹脂製であるため変形しやすい。そのため、増設等の施工の際に引っ張られたりすると内部のケーブルにもストレスが加わり、損傷したり接続部が外れる場合があり、注意を要した。
【０００５】
そこで、本発明はこのような問題点に鑑み、ＣＤ管にストレスが加わっても、内部のケーブルにまでストレスが加わるのを回避できる情報分電盤用箱体を提供することを目的としている。
【課題を解決するための手段】
【０００６】
上記課題を解決する為に、請求項１の発明は、機器を組み付ける機器取付板が配置されて壁面に固定される本体と、本体の前面を覆う蓋体とを有する情報分電盤用箱体であって、本体の機器取付板の周囲には、ケーブルを入線するための開口部が設けられ、当該開口部には入線するまでのケーブルを保護しているＣＤ管を保持するＣＤ管保持手段が備えられて成ることを特徴とする。
この構成によれば、ケーブルを入線するために本体に設けた開口部にはＣＤ管保持手段が設けられているため、入線したケーブルを保護しているＣＤ管を保持することで、ＣＤ管に引っ張り等のストレスが加わっても内部のケーブルまでストレスが加わるのを防止でき、ケーブルの良好な接続状態を維持できる。
【０００７】
請求項２の発明は、請求項１に記載の構成において、ＣＤ管保持手段は、第１の径のＣＤ管を保持する第１保持部と、第１の径より小さい第２の径のＣＤ管を保持する第２保持部とを有し、第２保持部は第１保持部の内側に形成されてなり、第１の径のＣＤ管を保持する際は、第２保持部を取り除いて第１保持部に保持させることを特徴とする。
この構成によれば、１つのＣＤ管保持手段で２種類の径のＣＤ管を保持できるため、ＣＤ管の径の違いにより保持手段を交換する必要がないし、ＣＤ管保持手段の設置スペースは僅かで済む。
【０００８】
請求項３の発明は、請求項１又は２に記載の構成において、本体は板状に形成される一方、蓋体は前面板と当該前面板の背部を囲む側面板とを有して箱状に形成されて成り、側面板の左右側部には、本体に係止／係止解除動作する可動爪が配置されると共に、可動爪を操作する取っ手が可動爪の前方となる前面板の端部に配置されて成ることを特徴とする。
この構成によれば、本体は板状であるため、蓋体を取り付けない状態では前方に加えて周囲側方も開放されており、開口部から入線した配線の接続作業を容易に実施できるし、機器取付板の周囲に障害物がないため機器の組み付けもスムーズに実施でき、作業者の負担を軽減できる。また、左右の取っ手を操作して蓋体を取り外しでき、容易に蓋体を着脱できる。
【発明の効果】
【０００９】
本発明によれば、ケーブルを入線するために本体に設けた開口部にはＣＤ管保持手段が設けられているため、入線したケーブルを保護しているＣＤ管を連結することで、ＣＤ管に引っ張り等のストレスが加わっても内部のケーブルまでストレスが加わるのを防止でき、ケーブルの良好な接続状態を維持できる。
【図面の簡単な説明】
【００１０】
【図１】本発明に係る情報分電盤用箱体の一例を示す斜視図である。
【図２】本体と蓋体とを分離して後方から見た斜視図である。
【図３】ＣＤ管保持具を装着した本体の斜視図である。
【図４】図３の本体の背面図である。
【図５】ＣＤ管保持具の斜視図である。
【図６】Ａ部拡大図である。
【図７】図３の本体の正面図である。
【図８】Ｂ部拡大図である。
【図９】左側の取っ手の中央を横方向に切断した情報分電盤用箱体の断面説明図であり、（ａ）は蓋体が本体に係止している状態、（ｂ）は係止解除した状態を示している。
【発明を実施するための形態】
【００１１】
以下、本発明を具体化した実施の形態を、図面を参照して詳細に説明する。図１は本発明に係る情報分電盤用箱体の一例を示す斜視図であり、１は機器が組み付けられる本体、２は本体の前面を覆う蓋体であり、両者とも合成樹脂により形成されている。また、図２はこの本体１と蓋体２とを分離して後方から見た斜視図、図３は本体１を前方から見た斜視図、図４は本体１の背面図であり、４（４ａ，４ｂ）はＣＤ管を示している。
【００１２】
本体１には一定の厚みを有する枠体１１が周設されており、全体は板状に形成されている。また図３に示すように、比較的薄く形成された中央部は前面に機器を組み付けるための木製の機器取付板５が組み付けられ、その４隅は本体１にネジ止め固定されている。
更に、枠体１１と機器取付板５の間となる機器取付板５の上下には、配線の挿通等を行うための開口部１２が形成され、この開口部１２のうちの１箇所にＣＤ管保持具３が装着されている。
【００１３】
尚、図２〜４は、複数ある開口部１２のうちの１箇所にＣＤ管保持具３を装着しているが、図２と図３，４とは異なる位置に組み付けた状態を示している。具体的に、本体１の正面から見て図２は右上、図３，４は左上に組み付けており、ＣＤ管保持具３が組み付け可能な開口部１２は、この実施形態では上下合わせて４箇所形成されており、４箇所全てにＣＤ管保持具３を装着しても良い。
【００１４】
また、本体１の左右枠部１１の中央には、蓋体２の後述する係止爪２５が係止する係止凹部１３が設けられている。更に、背面は全体が枠体１１の背面位置に合わせて突起部は一様な高さで形成され、全体では平坦になるよう形成され、壁面に取り付けた際に全体が密着して安定した取り付けを可能としている。また図２に示すように、機器取付板５の背部となる本体１の中央付近は、軽量化のために大きな矩形の開口部１４が複数設けられている。
【００１５】
図５はＣＤ管保持具３の斜視図であり、ＣＤ管保持具３は図５に示すように開口部１２に合致する長方形状の枠体３１を有し、その内部に複数のＣＤ管保持部３２が列設されている。そして、このＣＤ管保持部３２は、２種類の径のＣＤ管４を保持可能に形成されている。
具体的に、比較的大きな所定の第１の径のＣＤ管４ａを把持するよう第１の径に合わせた曲率で上下に形成された一対の第１把持片３３から成る第１保持部３２ａと、その内側に配置されて第１の径より小さい所定の第２の径のＣＤ管４ｂを把持するよう第２の径に合わせた曲率で左右に形成された一対の第２把持片３４から成る第２保持部３２ｂとで構成され、二重に形成されて１箇所のＣＤ管保持部３２により２種類の径のＣＤ管４を保持可能としている。
また枠体３１には、開口部１２に係止する係止爪３１ａが周囲の適宜部位に設けられ、開口部１２の裏面に係止して固定される。
【００１６】
図６はＡ部拡大図、図７は本体の正面図、図８はＢ部拡大図を示し、ＣＤ管４の連結部を示している。ＣＤ管保持具３の組み付けは、本体１の内部から装着操作される。装着操作により、係止爪３１ａが開口部１２に入り込み、開口部１２の背部に露出して図６に示すように開口部１２の背部に係止してＣＤ管保持具３は装着される。
また図７，８に示すように、大径の第１の径のＣＤ管４ａを保持する際には、第２保持部３２ｂを構成する第２把持片３４がニッパー等で切断除去されてＣＤ管４ａが挿入される。尚、第２の径のＣＤ管４ｂは、切断等することなくＣＤ管保持部３２に挿入すれば良い。
【００１７】
このように、ケーブルを入線するために本体１に設けた開口部１２にはＣＤ管保持具３が設けられているため、入線したケーブルを保護しているＣＤ管４をＣＤ管保持部３２に挿入して保持させることで、ＣＤ管４に引っ張り等のストレスが加わっても内部のケーブルまでストレスが加わるのを防止でき、ケーブルの良好な接続状態を維持できる。
また、１つのＣＤ管保持具３で２種類の径のＣＤ管４ａ，４ｂを保持できるため、ＣＤ管４の径の違いによりＣＤ管保持具３を交換する必要がないし、ＣＤ管保持具３の設置スペースは僅かで済む。
【００１８】
一方、蓋体２は図１，２に示すように、前面を覆う前面板２１の周囲に左右側面２２ａ、天面２２ｂ、底面２２ｃを構成する側面板２２が周設され、箱状に形成されている。そして、背部全体が開放されて機器が組み付けられた本体１の前面を覆うよう形成されている。また、天面２２ｂ、底面２２ｃには通気のための複数の孔２３が穿設されている。
【００１９】
また図１に示すように、前面板２１の左右端部中央には本体１との係止を解除するための取っ手２４が設けられ、図２に示すように左右側面２２ａの後部中央には本体１を覆った際に本体１の係止凹部１３に係止する係止爪２５が設けられている。
図９はこの取っ手２４と係合爪２５の連携構造を示す説明図であり、左側の取っ手２４の中央を横方向に切断して下方から見た断面説明図であり、（ａ）は係止した状態、（ｂ）は取っ手２４を矢印Ｃの方向へ操作して係止解除した状態を示している。尚、右側の取っ手２４と係止爪２５の関係は、同様であるため説明を省略する。
【００２０】
図９に示すように、連携部材２６は前後方向に長く帯状に形成され、中間部位が側面２２ａに形成された軸着部２６ａに回動可能に軸着されている。そして、後端部に係止爪２５が一体に形成され、先端部は取っ手２４に連結されている。
この結果、取っ手２４を横方向外側に移動操作すると、即ち取っ手２４を左右に開く操作をすると、連携部材２６が僅かに回動し、係止爪２５が反対方向に移動する。即ち、図９（ｂ）に示すように、本体１との係止が解除されて蓋体２が分離され、蓋体２を前方に移動すれば取り外しできる。
【００２１】
このように、本体１は板状であるため、蓋体２を取り付けない状態では前方に加えて周囲側方も開放されており、開口部から入線した配線の接続作業を容易に実施できるし、機器取付板５の周囲に障害物がないため機器の組み付けもスムーズに実施でき、作業者の負担を軽減できる。また、取っ手２４を左右方向に開く操作で蓋体２を取り外しでき、蓋体２を容易に着脱できる。
【００２２】
尚、上記実施形態では、第１把持片３３、第２把持片３４共に、ＣＤ管４に接触する内側の面を滑らかな曲面としているが、凹凸を設けて挿入されたＣＤ管との密着力（保持力）を上げて外れ難いよう形成しても良い。
【符号の説明】
【００２３】
１・・本体、２・・蓋体、３・・ＣＤ管保持具（ＣＤ管保持手段）、４・・ＣＤ管、５・・機器取付板、１２・・開口部、２２ａ・・左右側面（側面板）、２２ｂ・・天面（側面板）、２２ｃ・・底面（側面板）、２４・・取っ手、２５・・係止爪（可動爪）、３１・・枠体、３２・・ＣＤ管保持部、３２ａ・・第１保持部、３２ｂ・・第２保持部。
【図１】
2017220531.tif 000003
【図２】
2017220531.tif 000004
【図３】
2017220531.tif 000005
【図４】
2017220531.tif 000006
【図５】
2017220531.tif 000007
【図６】
2017220531.tif 000008
【図７】
2017220531.tif 000009
【図８】
2017220531.tif 000010
【図９】
2017220531.tif 000011